(57)【要約】  偏波保持(PM)光ファイバを分析する方法が、PM光ファイバの側面を照らすステップと、PM光ファイバを物理的に回転させ、PM光ファイバを通って伝送する光の光強度を測定して、画像プロファイルを取得するステップと、この画像プロファイルを回転角度の増分だけ数学的にシフトさせるステップと、それぞれの回転角度で画像プロファイルをフーリエ級数プロファイルに展開するステップと、フーリエ級数プロファイルに基づいてPM光ファイバの対称点を決定するステップとを含む。
2014522987.tif 000002
【特許請求の範囲】
【請求項１】
偏波保持(PM)光ファイバを分析する方法であって、
前記PM光ファイバの側面を照らすステップと、
前記PM光ファイバを物理的に回転させ、前記PM光ファイバを通って伝送する光の光強度を測定して、画像プロファイルを取得するステップと、
前記画像プロファイルを回転角度の増分だけ数学的にシフトさせるステップと、
それぞれの回転角度で前記画像プロファイルをフーリエ級数プロファイルに展開するステップと、
前記フーリエ級数プロファイルに基づいて前記PM光ファイバの対称点を決定するステップと、
を含むことを特徴とする方法。
【請求項２】
前記画像プロファイルを前記展開するステップが、以下の式、
【数３】
2014522987.tif 000005
を使用して、それぞれの回転角度で前記画像プロファイルを前記フーリエ級数プロファイルに展開するステップを含む、請求項1に記載の方法。
【請求項３】
前記対称点を前記決定するステップが、正のAsumの値を用いてRの最小点を決定するステップを含む、請求項2に記載の方法。
【請求項４】
前記対称点を前記決定するステップが、負のAsumの値を用いてRの最小点を決定するステップを含む、請求項2に記載の方法。
【請求項５】
偏波保持(PM)光ファイバを分析するように構成された相互関係プロファイル分析(IPA)装置であって、
前記PM光ファイバに向けて光を発するように構成された光源と、
前記PM光ファイバを物理的に回転させるように構成されたファイバ回転ユニットと、
前記PM光ファイバを通過する前記光を受けるように構成された受光ユニットと、
前記受けた光の光強度に基づいて前記PM光ファイバの画像プロファイルを取得し、前記画像プロファイルを回転角度の増分だけ数学的にシフトさせ、それぞれの回転角度で前記画像プロファイルをフーリエ級数プロファイルに展開し、前記フーリエ級数プロファイルに基づいて前記PM光ファイバの対称点を決定するように構成された、IPAプロファイル計算ユニットと、
を備えることを特徴とするIPA装置。
【請求項６】
前記IPAプロファイル計算ユニットが、以下の式、
【数４】
2014522987.tif 000006
を使用することによって、それぞれの回転角度で前記画像プロファイルを前記フーリエ級数プロファイルに展開する、請求項5に記載のIPA装置。
【請求項７】
前記IPAプロファイル計算ユニットが、正のAsumの値を用いてRの最小点を決定することによって前記対称点を決定する、請求項6に記載のIPA装置。
【請求項８】
前記IPAプロファイル計算ユニットが、負のAsumの値を用いてRの最小点を決定することによって前記対称点を決定する、請求項6に記載のIPA装置。
【発明の詳細な説明】
【技術分野】
【０００１】
例示的実施形態と一致する方法および装置は、偏波保持(polarization-maintaining)光ファイバの軸調整(aligning)に関し、より詳細には、フーリエ級数を使用した偏波保持光ファイバの軸調整に関する。
【０００２】
関連出願の相互参照
本出願は、2011年7月29日に米国特許商標庁に出願した米国特許仮出願第61/513036号の利益を主張するものであり、その開示は参照によりその全体が本明細書に組み込まれている。
【背景技術】
【０００３】
偏波保持(PM)光ファイバは、多種のフォトニクス組立体(photonic assemblies)に広く使用される。PM光ファイバとは、直線偏光である偏波が、光ファイバを通って光が伝播中に保持される光ファイバの一種である。ある種類のPM光ファイバは、クラッド内に非円形断面または別の材料のロッドをもつクラッドを使用することによってコアに応力を誘発する。例えば、図1(a)は、Pandaファイバ10の断面図を示し、図1(b)は、楕円クラッドファイバ12の断面図を示し、図1(c)は、bow-tieファイバ14の断面図を示す。図1(a)〜図1(c)に示す光ファイバのそれぞれが、クラッド内に応力付与部(SAP)を含む。別の種類のPM光ファイバは、この光ファイバを通って伝送する光の偏波を保持するためにコアの非円形幾何形状を使用する。例えば、図2(a)は、改良型化学気相蒸着(modified chemical vapor deposition:MCVD)によって作製された楕円コアファイバ16の断面図を示し、図2(b)は、外部蒸着(outside vapor deposition:OVD)によって作製された楕円コアファイバ18の断面図を示す。
【０００４】
他の種類のファイバと同様に、PM光ファイバは、軸調整され接続されて長い距離にわたる通信を可能にする。既存の方法を使用することによって、完全な自動軸調整および接続が、ほとんどのPMファイバに可能となってきた。ただし、現在の既存の方法はそれぞれ、限界および弱点を有する。さらに、昨今、新規の特別なPMファイバが急増しており、これらのPMファイバは高性能センサおよびファイバレーザ用途のために使用される。これら、新規の特別なPMファイバは、現在の既存の方法のいずれかを使用して軸調整することが困難である。
【０００５】
PM光ファイバを軸調整する現在の既存の一方法は、相互関係プロファイル軸調整(interrelation profile alignment:IPA)法である。この方法では、ファイバの側面視は、プロファイル軸調整システム(profile alignment system:PAS)と同様に、ファイバと交差する焦点位置で使用される。PASの場合のように(濃淡情報のみが得られる、レンズ効果による偏波観察(polarization observation by lens effect:POL)の場合とは異なり)、この焦点位置で、輝度プロファイルの中心領域に分析されうる非常に多くの情報がある。ただし、ファイバが、(2つの輝度の特徴が、対称的な強度および位置を有する画像などの)一定の画像が得られるまで単純に回転されるPASと異なり、IPA法では特徴が、回転角度との対比をプロットするPOLと同様の方式でファイバ回転位置に対してプロットされる。IPA法のより詳細は、米国特許出願公開第2010/0209049号、ならびにWenxin Zheng、Doug Duke、Toshiki KuboおよびBryan Malinskyによる「Interrelation Profile Analysis Method for Alignment of Polarization-Maintaining Fiber」という名称の文献に包含され、これらの内容は、参照により本明細書に組み込まれる。
【０００６】
要約すると、現在のIPA技術は、以下の動作を実行するステップを含む。
【０００７】
まず、IPAプロファイルは、ファイバを360°回転させ、画像処理ソフトウェアを使用して回転中IPA値を計算することによって、左と右のファイバ(軸調整および接続されるファイバ)から取得される。
【０００８】
次いで、左と右のファイバの角度オフセットが、線形相関法を使用して計算される。直接相関法および非直接相関法の2つの線形相関法が、通常採用される。直接相関法では、左のIPAプロファイルが、回転IPAデータによって直接右のIPAプロファイルと関係づけられて最大の相関角度を求める。非直接相関法では、左のIPAプロファイルと右のIPAプロファイルが、記憶されたIPAプロファイルデータベースにそれぞれ関係づけられる。
【０００９】
次いで、直接相関法または非直接相関法から得た計算した角度オフセットに基づいて、左と右のファイバが、所望の角度オフセットに回転され、接続される。
【００１０】
最後に、左と右のファイバが接続された後、ファイバを再び回転し、分析して、動作が成功したことが確認される。
【００１１】
ただし、現在のIPA法には、以下の弱点がある。第1に、直接相関法は、左と右のファイバが類似した場合のみに機能する。第2に、非直接相関法は、予め組み込まれたIPAプロファイルを必要とする。第3に、未知のPM光ファイバの場合、新しいIPAプロファイルを知るために偏波消光比(PER)メータが必要である。第4に、非対称PM構造の場合、現在のIPA法は、自動補正する手段を提供しない。
【先行技術文献】
【特許文献】
【００１２】
【特許文献１】米国特許出願公開第2010/0209049号
【非特許文献】
【００１３】
【非特許文献１】Wenxin Zheng、Doug Duke、Toshiki KuboおよびBryan Malinsky、「Interrelation Profile Analysis Method for Alignment of Polarization-Maintaining Fiber」
【発明の概要】
【発明が解決しようとする課題】
【００１４】
1つまたは複数の例示的実施形態は、様々な異なる種類のPM光ファイバに柔軟に使用することができる、相互関係プロファイル分析を実行するための装置および方法を提供することによって、関連する技術に伴うこれらおよび/または他の問題を克服することができる。また、本明細書において説明される例示的実施形態は、上記の弱点を克服するために必要とされるものではなく、一例示的実施形態は、上記の問題のいずれも克服できない可能性もある。
【００１５】
1つまたは複数の例示的実施形態による装置および方法は、予め組み込まれたIPAプロファイルを必要としないことがあり、クランピングのコーティングを実行するときに著しく長い時間を必要としないことがあり、新しいIPAプロファイルを知るためにPERメータを必要としないことがある。
【００１６】
1つまたは複数の例示的実施形態では、非対称PM構造に対して自動補正することができる。
【課題を解決するための手段】
【００１７】
偏波保持(PM)光ファイバを分析する方法が、PM光ファイバの側面を照らすステップと、PM光ファイバを物理的に回転させ、PM光ファイバを通って伝送する光の光強度を測定して、画像プロファイルを取得するステップと、画像プロファイルを回転角度の増分だけ数学的にシフトさせるステップと、それぞれの回転角度で画像プロファイルをフーリエ級数プロファイルに展開するステップと、フーリエ級数プロファイルに基づいてPM光ファイバの対称点を決定するステップとを含む。
【００１８】
偏波保持(PM)光ファイバを分析するように構成された相互関係プロファイル分析(IPA)装置は、PM光ファイバに向けて光を発するように構成された光源と、PM光ファイバを物理的に回転させるように構成されたファイバ回転ユニットと、PM光ファイバを通過する光を受けるように構成された受光ユニットと、受けた光の光強度に基づいてPM光ファイバの画像プロファイルを取得して、画像プロファイルを回転角度の増分だけ数学的にシフトさせ、それぞれの回転角度で画像プロファイルをフーリエ級数プロファイルに展開し、フーリエ級数プロファイルに基づいてPM光ファイバの対称点を決定するように構成された、IPAプロファイル計算ユニットと、を含む。
【００１９】
上記のならびに/または他の例示的態様および利点は、添付の図面を参照しながら例示的実施形態を詳細に説明することによってより明らかになるであろう。
【図面の簡単な説明】
【００２０】
【図１（ａ）】Pandaファイバの断面図である。
【図１（ｂ）】楕円クラッドファイバの断面図である。
【図１（ｃ）】bow-tieファイバの断面図である。
【図２（ａ）】MCVDによって作製された楕円コアファイバの断面図である。
【図２（ｂ）】外部蒸着(OVD)によって作製された楕円コアファイバの断面図である。
【図３】例示的実施形態による相互関係プロファイル分析(IPA)装置を示す図である。
【図４】図3に示すIPAプロファイル計算ユニットの詳細な図である。
【図５（ａ）】回転角度と偏波保持(PM)光ファイバのIPAプロファイルとの関係を示すグラフである。
【図５（ｂ）】PM光ファイバの回転を示す図である。
【図５（ｃ）】PM光ファイバの回転を示す図である。
【図５（ｄ）】PM光ファイバの回転を示す図である。
【図５（ｅ）】PM光ファイバの回転を示す図である。
【図５（ｆ）】PM光ファイバの回転を示す図である。
【図６】一例示的実施形態によるΔ回転角度RとAsumとの関係を示すグラフである。
【図７】一実施形態によるフーリエ分析法についての試験結果を示すグラフである。
【図８】フーリエ分析法の付随の試験結果を示す表である。
【発明を実施するための形態】
【００２１】
ここで、例示的実施形態について、添付の図面を参照してより十分に説明する。これら実施形態は、この開示が、徹底してかつ完全であり、本発明の概念を当業者に十分に伝えるように提供される。ただし、例示的実施形態は、限定するように解釈されるべきではない。図面では、同様の参照番号は、同様の構成要素を表し、層および領域の厚さは、明瞭性と便宜上拡大されうる。
【００２２】
一例示的実施形態に従って、偏波保持(PM)光ファイバの軸調整するための方法が提供される。PM光ファイバを軸調整するための方法は、フーリエ級数展開を使用して、IPAプロファイルを生成することを含む。本出願の発明者は、ほとんどのPM光ファイバの場合、PM光ファイバは、2つの対称軸を有することを認識した。したがって、こうしたPM光ファイバのIPAプロファイルは、90°と180°との双方で対称であるべきである。さらに、IPAプロファイルは、周期関数であり、全ての周期関数は、フーリエ級数によって近似されうる。
【００２３】
図3は、一例示的実施形態による相互関係プロファイル分析(IPA)装置300を示す。IPA装置300は、株式会社フジクラによって製造されたFSM-100Pスプライサ(splicer)またはFSM-100P+スプライサなどの多くの異なる種類のものとして実装されうる。図3に示すように、IPA装置300は、光304を照射する光源302と、受光ユニット306と、左PM光ファイバ330および右PM光ファイバ340を回転させるように構成されたファイバ回転ユニット308と、IPAプロファイル計算ユニット310と、受光ユニット306およびIPAプロファイル計算ユニット310を連結する第1のリンク320と、光源302およびIPAプロファイル計算ユニット310を連結する第2のリンク321と、ファイバ回転ユニット308およびIPAプロファイル計算ユニット310を連結する第3のリンクと、を含む。
【００２４】
光源302は、左PM光ファイバ330および右PM光ファイバ340に向けて光304を発して、左PM光ファイバ330および右PM光ファイバ340それぞれのIPAプロファイル(画像プロファイルとも呼ぶ)を生成する。光源302は、例えば、発光ダイオード(LED)、白熱電球または当業者に知られている別種類の光源とすることができる。
【００２５】
受光ユニット306は、左PM光ファイバ330および右PM光ファイバ340を通って伝送される光304を受ける。受光ユニット306は、例えば、相補型金属酸化物半導体(CMOS)デジタルカメラセンサ、電荷結合素子(CCD)デジタルカメラセンサ、または当業者に知られている任意の他の種類の受光ユニットとすることができる。
【００２６】
IPAプロファイルが、左PM光ファイバ330および右PM光ファイバ340それぞれの回転角度の範囲にわたって取得されうるように、ファイバ回転ユニット308は、左PM光ファイバ330および右PM光ファイバ340を回転させる。ファイバ回転ユニット308は、ベース308aと、ベース308aに連結した回転部材308bとを含む。回転部材308bは、左PM光ファイバ330および右PM光ファイバ340に取り付けられ、これらを回転させる。回転部材308bは、左PM光ファイバ330および右PM光ファイバ340をそれぞれ1つずつ回転させて、回転したPM光ファイバの個々のIPAプロファイルを取得することができる。ファイバ回転ユニット308は、当業者に知られている任意の多くの異なる設計に従って実装されうる。
【００２７】
IPAプロファイル計算ユニット310は、左PM光ファイバ330および右PM光ファイバ340のIPAプロファイルを計算する。図4に示すように、IPAプロファイル計算ユニットは、フーリエ分析ユニット311と、記憶ユニット312と、伝送ユニット313と、表示ユニット314と、制御ユニット315と、入力ユニット316とを含む。
【００２８】
フーリエ分析ユニット311は、フーリエ級数展開を使用して、フーリエ級数IPAプロファイル(フーリエ級数プロファイルとも呼ぶ)を生成する。フーリエ分析ユニット311の動作のより詳細な説明は、図5を参照して以下に与えられる。
【００２９】
記憶ユニット312は、フーリエ分析ユニット311によって生成されたフーリエ級数IPAプロファイルを記憶する。記憶ユニット312は、例えば、RAM、ROM他などのメモリユニットとすることができる。
【００３０】
伝送ユニット313は、フーリエ級数IPAプロファイルを表示ユニット314に伝送する。伝送ユニット313は、フーリエ級数IPAプロファイルを有線または無線接続を使用して別の電子デバイスに伝送することもできる。
【００３１】
表示ユニット314は、フーリエ級数IPAプロファイルまたはフーリエ級数IPAプロファイルに関する情報をユーザのためにスクリーン上に表示する。表示ユニット314は、例えば、LCDスクリーン他とすることができる。
【００３２】
制御ユニット315は、フーリエ分析ユニット311、記憶ユニット312、伝送ユニット313、表示ユニット314、光源302、受光ユニット306および/またはファイバ回転ユニット308を制御する。制御ユニット315は、例えば、集積回路(IC)とすることができる。制御ユニット315は、リンク321によって光源302に連結され、リンク320によって受光ユニット306に連結され、リンク322によってファイバ回転ユニット308に連結される。
【００３３】
入力ユニット316により、ユーザが制御ユニット315に命令を入力してIPA装置300の動作全体にわたって制御できるようになる。入力ユニット316は、例えば、キーボード、グラフィカルユーザインターフェース(GUI)、マウス、それらの組合せなどとすることができる。
【００３４】
図5(a)は、回転角度と偏波保持(PM)光ファイバのIPAプロファイルとの関係を示し、図5(b)、図5(c)、図5(d)、図5(e)および図5(f)は、回転角度が90°ずつ回転するPM光ファイバを示す。図5(a)のグラフでは、y軸が、左PM光ファイバ330の(光強度に基づいた)IPAプロファイルを表し、x軸は、左PM光ファイバ330が回転するときの左PM光ファイバ330の回転角度を表す。図5(a)のグラフは、滑らかな曲線を有する株式会社フジクラ(「FJK」)Panda125μmファイバデータベースプロファイルと、粗い曲線を有するFJK Panda125μmファイバ測定プロファイルを含む2つのプロファイルを含む。FJK Panda125μmファイバデータベースプロファイルは、記憶されたデータベースプロファイルから取得される。対照的に、FJK Panda125μmファイバ測定プロファイルは、図5(b)、図5(c)、図5(d)、図5(e)および図5(f)に示す左PM光ファイバ330の実際のIPAプロファイルの値を測定することによって取得される。概して、PM光ファイバは、2つの対称軸を有する。したがって、図5に示すように、こうしたPM光ファイバのIPAプロファイルは、90°と180°との双方で対称となるべきである。
【００３５】
左PM光ファイバ330は、この例ではFJK Panda125μmファイバである。図5(b)、図5(c)、図5(d)、図5(e)および図5(f)に示すように、多くの他の種類のPM光ファイバと同様に左PM光ファイバ330は2つの対称軸を有する。したがって、多くの他の種類のPM光ファイバと同様に左PM光ファイバ330のIPAプロファイルは、90°と180°との双方で対称となるべきである。
【００３６】
より具体的には、図5(b)では、左PM光ファイバ330は、第1の位置にある。図5(a)のグラフに示すように、第1の位置では、最大測定値を有するIPAプロファイルが生成される。IPAプロファイルの最大測定値とは、ファイバ330が検査される範囲での最大光強度を指す。左PM光ファイバ330が、時計と反対回りに90°回転するとき、左PM光ファイバ330は、図5(c)に示す第2の位置に移動する。図5(a)のグラフに示すように、第2の位置では、最小測定IPAプロファイルを有するIPAプロファイルが生成される。IPAプロファイルの最小測定値とは、ファイバ330が検査される範囲での最小光強度を指す。次いで、左PM光ファイバ330が再び時計と反対回りに90°回転するとき、左PM光ファイバ330は、図5(d)に示す第3の位置に移動する。図5(a)のグラフに示すように、第3の位置では、最大測定IPAプロファイルを有するIPAプロファイルが生成される。次いで、左PM光ファイバ330が再び時計と反対回りに90°回転するとき、左PM光ファイバ330は、図5(e)に示す第4の位置に移動する。図5(a)のグラフに示すように、第4の位置では、最小測定IPAプロファイルを有するIPAプロファイルが生成される。最後に、左PM光ファイバ330が再び時計と反対回りに90°回転するとき、左PM光ファイバ330は、図5(f)に示す第5の位置に移動する。図5(a)のグラフに示すように、第5の位置では、最大測定IPAプロファイルを有するIPAプロファイルが生成される。
【００３７】
左PM光ファイバ330の対称軸のため、左PM光ファイバ330が、第1の位置から時計と反対回りに90°、また第1の位置から時計と反対回りに270°回転するときそれぞれ、左PM光ファイバ330の測定IPAプロファイルは、第2の位置(図5(c))と第4の位置(図5(e))との双方でほぼ同じである。同様に、左PM光ファイバ330の対称軸のため、左PM光ファイバ330が、第1の位置から時計と反対回りに180°、また第1の位置から時計と反対回りに360°回転するときそれぞれ、左PM光ファイバ330の測定IPAプロファイルは、第3の位置(図5(d))と第5の位置(図5(f))との双方でほぼ同じである。言い換えると、左PM光ファイバ330の測定IPAプロファイルは、(実質的に、同じ測定IPAプロファイルが別の位置すなわち270°で生成されるので)90°で対称性を有し、(実質的に、同じ測定IPAプロファイルが別の位置すなわち360°で生成されるので)180°でも対称性を有する。
【００３８】
PM光ファイバが90°と180°との双方で対称であるという特性に基づいて、フーリエ分析ユニット311(図4)は、PM光ファイバのフーリエ級数IPAプロファイルを生成する。フーリエ分析ユニット311は、IPA画像プロファイルをフーリエ級数(フーリエ級数IPAプロファイル)に展開する。一実施形態によるフーリエ級数展開の例は、式(1)によって与えられる。
【００３９】
【数１】
2014522987.tif 000003
【００４０】
IPAプロファイルは、周期T=2π(360°)の周期関数f(θ)である。全ての周期関数は、フーリエ級数によって近似されうる。f(θ)が、T/4(90°)に対して対称である場合、全ての係数bnは0となる。f(θ)が、T/2(180°)に対して対称である場合、全ての奇数の係数anおよびbnは、0となり、式中n=1、3、5、…である。
【００４１】
ほとんどのIPAプロファイルは、(図5(a)〜図5(f)について先に説明したように) 90°と180°との双方で対称であるので、その場合理論上、θ=0、90、180、270のとき、非ゼロ係数は、anの偶項としかならないはずであり、式中n=0、2、4、…である。
【００４２】
次に、対称探索が、フーリエ展開中で実行されうる。この対称探索を実行するために、まず、新しいfδ(θ)は、fδ(θ)(IPAプロファイルf(θ+δ)とも表される)を取得するために、値δの分測定IPAプロファイルを回転させる(すなわち、シフトさせる)ことによって構築される。値δは、回転角度の増分とすることができる。次に、fδ(θ)は、フーリエ級数に展開され、これにより対応するフーリエ係数anとbnのセットがもたらされる。次に、このプロセスは、0°から360°までδをスイープすることによって繰り返され、このプロセスはその都度、異なるδで実行され、対応するフーリエ係数anとbnのセットが計算される。さらに、フーリエ係数anとbnのセット毎に、比Rの値およびAsumの値が計算されうる。次いで、探索が実行されて正のAsumまたは負のAsumを用いてRの最小点を見つけることができる(正のAsumを用いたこのRの最小点は、「dmin」とも呼ばれる)。したがって、「0°から360°までδをスイープする」という言葉は、ファイバが360°数学的に回転する動作のことを言う。ファイバが数学的に回転すると、フーリエ係数anとbn、比RおよびAsumは、対応して値が変化する。位置dminが、求める対称位置である。式2に、RおよびAsumをどのように計算するかを示す。
【００４３】
【数２】
2014522987.tif 000004
【００４４】
先に説明したように、例えば0°、90°、180°および270°などの対称点で、唯一の近似の非ゼロ係数が、AevenおよびR=(Aodd+Bodd+Beven)/Aevenなので、Rの最小値は、対称点を示す。したがって、Aevenが、唯一の近似の非ゼロ係数であるとき、Rは、最小値となる。Rの値が、各90°増分で最小となるので、一般にRの値単独では、対称点が例えば0°(例えば図5(c))または90°(例えば図5(d))に位置しているかどうかを区別するには不十分である。90°のずれ(角度オフセット)を避けるためには、Asumが使用されうる。Asumは、90°と270°との双方で負となり、0°と180°では正となる。したがって、ファイバ330が0°か180°で軸調整される点を探索するためには、最小のRと正のAsumとに対応する点が、決定されるべきである。あるいは、ファイバ330が90°か270°で軸調整される点を探索するためには、最小のRと負のAsumとに対応する点が、決定されるべきである。
【００４５】
図6は、一実施形態によるΔ（デルタ）回転角度と、RおよびAsumとの関係を示す。図6のグラフ600に示すように、Rの値およびAsumの値は、回転角度のいくらかの増分、例えば3°毎で、左のファイバと右のファイバとの双方で計算される。Rの目盛を図6の左側に示し、Asumの目盛を図6の右側に示す。
【００４６】
左ファイバは、4つのΔ回転角度、つまり、約80°、170°、260°および350°のΔ回転角度でRの最小値を有する。加えて、これら4つのΔ回転角度のうち2つの回転角度、つまり、170°および350°は、正のAsumの値を有する。
【００４７】
右ファイバは、4つのΔ回転角度、つまり、約30°、120°、210°および300°のΔ回転角度でRの最小値を有する。加えて、これら4つのΔ回転角度のうち2つの回転角度、つまり、120°および300°は、正のAsumの値を有する。
【００４８】
この計算を使用して、左と右のファイバは、軸調整されうる。例えば、図6での計算に基づいて、左ファイバは、170°回転され、右ファイバは、120°回転されて左と右のファイバを軸調整し、それによって偏波を最大化することができる。
【００４９】
図7は、上記のフーリエ分析法の試験結果を示す。図7のグラフ702および704に示すように、フーリエ分析法は、直接および非直接相関法に比較して角度エラーの量が低減することになる。
【００５０】
具体的には、図7に示すように、フーリエ分析法は、多くのPMファイバの異なる種類との136接続について直接および非直接相関法と比較された。測定角度オフセットと比較した平均角度オフセットは、1.58°であり、直接相関法(1.94°)および非直接相関法(1.93°)より極めて小さい。さらに、IPAプロファイルデータベースが全く必要ないので、フーリエ分析法は、新規の関数を学習すること、またはPER測定機器を使用することを必要とすることなしに新規の種類のファイバに対処することができる。そのうえ、非対称のファイバについて、フーリエ分析法は、PER測定および調整角度の入力に関して操作者に対して警告を発することができる。
【００５１】
図8は、フーリエ分析法の付随の試験結果を示す。図8に示すように、フーリエ分析法は、多くのPMファイバの異なる種類の組合せを伴う接続について直接および非直接相関法と比較された。フーリエ分析法の平均角度エラーは、1.06°であり、直接相関法(1.84°)および非直接相関法(1.71°)より極めて小さいものであった。加えて、フーリエ分析法の角度エラーの標準偏差は、0.092であり、直接相関法(1.72)および非直接相関法(1.85)より極めて小さいものであった。
【００５２】
このように、例示的実施形態に従って、フーリエ分析法は、直接および非直接相関法に比較して、PM光ファイバの軸調整においてより優れた成果を達成することができる。
【００５３】
以上、例示的実施形態の態様について具体的に示し説明してきたが、以下の特許請求の範囲によって規定された本発明の概念およびその法的均等物の趣旨および範囲を逸脱することなく、その形態および細部について様々な変更を行えることが当業者には理解されよう。
【符号の説明】
【００５４】
10  Pandaファイバ
12  楕円クラッドファイバ
14  bow-tieファイバ
16  楕円コアファイバ
18  楕円コアファイバ
300  相互関係プロファイル分析(IPA)装置
302  光源
304  光
306  受光ユニット
308  ファイバ回転ユニット
308a  ベース
308b  回転部材
310  IPAプロファイル計算ユニット
311  フーリエ分析ユニット
312  記憶ユニット
313  伝送ユニット
314  表示ユニット
315  制御ユニット
316  入力ユニット
320  第1のリンク
321  第2のリンク
330  左PM光ファイバ
340  右PM光ファイバ
600  グラフ
702  グラフ
704  グラフ
【図１（ａ）】
2014522987.tif 000007
【図１（ｂ）】
2014522987.tif 000008
【図１（ｃ）】
2014522987.tif 000009
【図２（ａ）】
2014522987.tif 000010
【図２（ｂ）】
2014522987.tif 000011
【図５（ａ）−５（ｆ）】
2014522987.tif 000012
【図３】
2014522987.tif 000013
【図４】
2014522987.tif 000014
【図６】
2014522987.tif 000015
【図７】
2014522987.tif 000016
【図８】
2014522987.tif 000017
【国際調査報告】
2014522987.tif 000018